(57)【要約】【課題】配線ボックス内に配線される配線材が配線ボックス内に突出するビスの軸部と摺接し傷付くのを防止する。【解決手段】配線ボックス１１の開口の周縁に固定される固定部と、配線器具取付枠６２を取り付ける取付ビス５１が螺入されるビス孔を有する取着フランジ２４と、を有するボックスカバー２１に、摺接防止体３１を取着した。摺接防止体３１には、取付ビス５１の軸部５１ａや配線ボックス１１にボックスカバー２１を固定するための固定ビスの軸部に、配線ボックス１１内に配線されるケーブル６１が摺接するのを防止するために、これらのビスの軸部のうち配線ボックス１１内に突出する部分を取り囲む摺接防止部３３が形成されている。【選択図】図７
2019037137.tif 000002
【特許請求の範囲】
【請求項１】
配線ボックスの開口に固定される固定部と、前記固定部により固定されて前記配線ボックスの開口の一部を露出させる開口部と、配線器具を取り付ける取付ビスが螺入される螺入部を有する器具取付部と、を有するボックスカバーに取着される取着部と、
前記ボックスカバーの器具取付部を越えて前記取付ビスがビス螺進方向に螺進した際に該配線ボックス内に侵入した該ビスの軸部と、前記配線ボックス内に配線される配線材と、の摺接を防止する摺接防止部と、
を備え、
前記ボックスカバーに対して前記開口部から取着及び取り外し可能である
ことを特徴とする摺接防止体。
【請求項２】
配線ボックスの開口に固定される固定部と、配線器具を取り付ける取付ビスが螺入される螺入部を有する器具取付部と、を有するボックスカバーに取着される取着部と、
前記ボックスカバーの器具取付部を越えて前記取付ビスがビス螺進方向に螺進した際に該配線ボックス内に侵入した該ビスの軸部と、前記配線ボックス内に配線される配線材と、の摺接を防止する摺接防止部と、
を備え、
前記取着部は、前記器具取付部に前記ビスの螺進方向と直交する方向から取着可能である
ことを特徴とする摺接防止体。
【請求項３】
前記取着部は、前記ボックスカバーの器具取付部のビス螺進方向の面とビス螺退方向の面とに当接して取着される溝部からなることを特徴とする請求項１または請求項２に記載の摺接防止体。
【請求項４】
前記摺接防止部は、前記ビス螺進方向に延びる略筒状に形成されたことを特徴とする請求項１乃至請求項３のいずれかに記載の摺接防止体。
【請求項５】
底壁と周壁とを有し該底壁と対向して開口する有底箱状の配線ボックスと、
前記配線ボックスの開口の一部を露出させる開口部と、該開口部の内側に対向して突出し配線器具を取り付けるための取付ビスが螺入される螺入部を有する器具取付部と、を備え、前記配線ボックスの開口に固定されたボックスカバーと、
前記ボックスカバーの器具取付部を越えて前記配線ボックス内に侵入する前記取付ビスの軸部と前記配線ボックス内に配線される配線材との摺接を防止する摺接防止部と、前記配線ボックスまたは前記ボックスカバーに取着される取着部と、を有する摺接防止体と、
からなり、
前記摺接防止体は、前記ボックスカバーの前記開口部から取着及び取り外し可能である
ことを特徴とする配線器具取付体装置。
【請求項６】
底壁と周壁とを有し該底壁と対向して開口する有底箱状の配線ボックスと、
前記配線ボックスの開口の一部を露出させる開口部と、該開口部の内側に対向して突出し配線器具を取り付けるための取付ビスが螺入される螺入部を有する器具取付部と、を備え、前記配線ボックスの開口に固定されたボックスカバーと、
前記ボックスカバーの器具取付部を越えて前記配線ボックス内に侵入する前記取付ビスの軸部と前記配線ボックス内に配線される配線材との摺接を防止する摺接防止部と、前記配線ボックスまたは前記ボックスカバーに取着される取着部と、を有する摺接防止体と、
からなり、
前記取着部は、前記器具取付部に前記ビスの螺進方向と直交する方向から取着可能である
ことを特徴とする配線器具取付体装置。
【請求項７】
前記摺接防止部は、前記配線ボックスの底壁に到達しない長さに形成されたことを特徴とする請求項５または請求項６に記載の配線器具取付体装置。
【発明の詳細な説明】
【技術分野】
【０００１】
本発明は、配線器具が取り付けられる配線ボックス等の配線器具取付体の器具取付部の螺入部に螺入されるビスや、ボックスカバーを配線ボックスに取着するためのビスの軸部と、配線ボックス内のケーブル等の配線材とが摺接するのを防止する摺接防止体及び配線器具取付体装置に関するものである。
【背景技術】
【０００２】
スイッチやコンセント等の配線器具を建物の壁裏に配設された配線ボックスやボックスカバー等の配線器具取付体に取り付けるときには、特許文献１等にも記載されているように、ビスが使用されており、スイッチやコンセント等の配線器具は、配線器具取付枠の取付孔に挿通されたビスが壁表側から壁穴内を通して壁裏の配線器具取付体の器具取付部の螺入部に螺着されることにより取り付けられている。
また、ボックスカバーを配線ボックスの前面の開口部に取り付け固定するときには、同様に、ビスが使用されており、ボックスカバーはその挿通孔をビスが挿通し、配線ボックスの開口の周縁から突出する取付フランジのビス孔に螺着されることにより取り付けられている。
【先行技術文献】
【特許文献】
【０００３】
【特許文献１】特開２０１０−２８８４０１号公報
【発明の概要】
【発明が解決しようとする課題】
【０００４】
しかし、これらのビスを使用して、配線器具を配線器具取付体に取り付けたときやボックスカバーを配線ボックスに固定したときに、ビスの軸部が配線ボックス内で突出していると、配線ボックスの内部に配線されるケーブル等の配線材がビスの軸部と接触し摺接することによって傷付くことがあった。
【０００５】
そこで、本発明は、配線ボックス内に配線される配線材が配線ボックス内に突出するビスの軸部と摺接し傷付くのを防止できる摺接防止体及び配線器具取付体装置を提供することを課題とするものである。
【課題を解決するための手段】
【０００６】
請求項１の摺接防止体は、配線ボックスの開口に固定される固定部と、前記固定部により固定されて前記配線ボックスの開口の一部を露出させる開口部と、配線器具を取り付ける取付ビスが螺入される螺入部を有する器具取付部と、を有するボックスカバーに取着される取着部と、前記ボックスカバーの器具取付部を越えて前記取付ビスがビス螺進方向に螺進した際に該配線ボックス内に侵入した該ビスの軸部と、前記配線ボックス内に配線される配線材と、の摺接を防止する摺接防止部と、を備え、前記ボックスカバーに対して前記開口部から取着及び取り外し可能なものである。
請求項２の摺接防止体は、請求項１の摺接防止体と同じく取着部と摺接防止部とを備えるとともに、前記取着部は、前記器具取付部に前記ビスの螺進方向と直交する方向から取着可能なものである。
【０００７】
請求項３の摺接防止体は、取着部が、前記ボックスカバーの器具取付部のビス螺進方向の面とビス螺退方向の面とに当接して取着される溝部からなる。
【０００８】
請求項４の摺接防止体は、摺接防止部が、前記ビス螺進方向に延びる略筒状に形成されている。
【０００９】
請求項５の配線器具取付体装置は、底壁と周壁とを有し該底壁と対向して開口する有底箱状の配線ボックスと、前記配線ボックスの開口の一部を露出させる開口部と、該開口部の内側に対向して突出し配線器具を取り付けるための取付ビスが螺入される螺入部を有する器具取付部と、を備え、前記配線ボックスの開口に固定されたボックスカバーと、前記ボックスカバーの器具取付部を越えて前記配線ボックス内に侵入する前記取付ビスの軸部と前記配線ボックス内に配線される配線材との摺接を防止する摺接防止部と、前記配線ボックスまたは前記ボックスカバーに取着される取着部と、を有する摺接防止体と、からなり、前記摺接防止体は、前記ボックスカバーの前記開口部から取着及び取り外し可能なものである。
【００１０】
請求項６の配線器具取付体装置は、請求項５の配線ボックス装置と同じく配線ボックスとボックスカバーと摺接防止体とからなるとともに、摺接防止体の取着部は、ボックスカバーの器具取付部にビスの螺進方向と直交する方向から取着可能なものである。
【００１１】
請求項７の配線器具取付体装置は、摺接防止部が、前記配線ボックスの底壁に到達しない長さに形成されている。
【発明の効果】
【００１２】
請求項１、２の発明は、ボックスカバーの器具取付部を越えて配線ボックス内に侵入した取付ビスの軸部と配線ボックス内に配線される配線材との摺接を防止する摺接防止部を備えているので、配線ボックス内で突出している取付ビスの軸部と配線ボックス内の配線材とが接触し摺接することにより配線材が傷付くのを確実に防止できる。
【００１３】
請求項３の発明は、取着部が、ボックスカバーの器具取付部のビス螺進方向の面とビス螺退方向の面とに当接して取着される溝部からなるので、摺接防止体を器具取付部に向けて押し込むだけで簡単にボックスカバーに取着できる。
【００１４】
請求項４の発明は、摺接防止部が、ビス螺進方向に延びる略筒状に形成されているので、ビスの軸部の全体を取り囲んで配線材と接触し摺接するのを防止できる。
【００１５】
請求項５、６の発明は、請求項１、２の発明と同様の効果を奏する。
【００１６】
請求項７の発明は、摺接防止部が、配線ボックスの底壁に到達しない長さに形成されているので、配線材を配線ボックス内に引き込むときに、摺接防止部が邪魔になるのを避けることができる。
【図面の簡単な説明】
【００１７】
【図１】本発明の実施形態の配線器具取付体装置の斜視図である。
【図２】図１の配線器具取付体装置を示し、(a)は平面図、(b)は(a)のＡ−Ａ切断線による断面図、(c)は(b)の要部拡大図、(d)は(a)のＢ−Ｂ切断線による断面図である。
【図３】(a)は図１の規制体を取り付ける方向を示す分解斜視図、(b)は規制体を取り付け後の状態を示す要部斜視図である。
【図４】図１の配線器具取付体の断面図である。
【図５】図１の規制体を示し、(a)は前面側から見た斜視図、(b)は裏面側から見た斜視図、(c)は平面図、(d)は(e)のＣ−Ｃ切断線による断面図、(e)は正面図、(f)は右側面図である。
【図６】図１の規制体の取着部を説明する要部正面図である。
【図７】図１の配線器具取付体装置に配線器具を取り付けた状態を示す断面図である。
【図８】図１の配線器具取付体装置の規制部の変形例を示す断面図である。
【図９】図１のボックスカバーの別例を示す斜視図である。
【発明を実施するための形態】
【００１８】
以下、本発明の実施形態の摺接防止体及び配線器具取付体装置を図に基づいて説明する。
図１乃至図６において、配線器具取付体装置１は、建物の間仕切り壁等の壁面の裏側に配設され、壁穴に臨む前面側には、スイッチ、コンセント等の配線器具を壁面の表側に取り付けるための取付ビス５１が取着される。配線器具取付体装置１は、配線器具取付体と、これに取着される摺接防止体３１とで構成されている。ここで、配線器具取付体としては、配線ボックス１１やこれにボックスカバー２１が取り付けられたものなどが挙げられる。本実施形態では、配線器具取付体として、ボックスカバー２１が固定ビス５２を介して配線ボックス１１に固定されたものを例示する。また、本実施形態で述べる配線材としてケーブル６１を例示する。なお、ここでは、スイッチ、コンセント等が取り付けられた配線器具取付枠６２も配線器具に含めて説明する。以下、各構成部材について詳細に説明する。
【００１９】
配線器具取付体を構成する配線ボックス１１は、底壁１２と底壁１２から立設する周壁１３とを有し、底壁１２と対向して開口する有底箱状に形成されている。配線ボックス１１は、間仕切り柱に固定された取付金具を介して間仕切り壁の裏側に使用されたり、コンクリートに埋設されて使用される。底壁１２の中心に設けられたボルト孔１４は、コンクリート打設時にボルトを取着して型枠に取り付けるために用いられるが、配線ボックス１１を間仕切り壁に配設する場合は不要である。底壁１２及び周壁１３には、必要に応じてケーブル６１を挿通するために打ち抜かれるノックアウト１５が設けられている。更に、配線ボックス１１の開口１６の周縁１６ａには、開口１６の前面にボックスカバー２１を取り付けるための取付フランジ１７が一対設けられ、各取付フランジ１７の中央にはビス孔１８が設けられている。配線ボックス１１は、鋼板等の金属板をプレス加工し、あるいは合成樹脂を一体成形するなどによって形成される。
【００２０】
また、配線器具取付体を構成するボックスカバー２１は、四角枠状に形成され、中央部は、一定高さで一面側に台状に膨出し、膨出した台状の部分のほぼ全体が開口する開口部２２に形成されている。開口部２２からは配線ボックス１１の開口１６の一部が露出している。開口部２２は略小判形状に形成され、その周縁は、上下部分が円弧状に外側に湾曲し、左右両側部分は平行する直線状に形成されている。ボックスカバー２１の開口部２２の外側周辺の平面部の四隅には、配線ボックス１１のビス孔１８と対応する位置に、円弧状の長孔２３が周方向に形成され、長孔２３の一端部は取付ビス５１を挿通可能な挿通孔に形成されている。更に、図２及び図３等に示すように、開口部２２の上下周縁の中央部分には、開口平面方向に突出する取着フランジ２４が対向して上下に一対設けられ、各取着フランジ２４の中央には、取付ビス５１が螺入されるビス孔２５が設けられている。取着フランジ２４は器具取付部を構成し、ビス孔２５は配線器具を取り付けるための取付ビス５１が螺入される螺入部を構成している。ボックスカバー２１は、鋼板等の金属板をプレス加工し、あるいは合成樹脂を一体成形するなどによって形成される。
【００２１】
次に、本発明の特徴である摺接防止体３１は、図５に示すように、合成樹脂により全体が正面視略Ｔ字状に形成され、垂直部分は円筒状を成し、内部に取付ビス５１の軸部５１ａが挿通されるビス挿通空間３４が形成されている。摺接防止体３１は、ボックスカバー２１に取着される取着部３２と、ボックスカバー２１の螺入部に螺入される取付ビス５１の螺進方向に配置されて、取付ビス５１の螺進予定空間２０内にケーブル６１が侵入するのを防止する摺接防止部３３と、を有している。ここで、摺接防止体３１について、正面とは、ボックスカバー２１の開口部２２内から見える面をいう。また、取付ビス５１の螺進方向とは、図７で示せば、取付ビス５１の一点鎖線の矢印方向であり、後述の螺退方向とは、その逆の方向である。
【００２２】
まず、摺接防止体３１の取着部３２は、ボックスカバー２１の器具取付部である取着フランジ２４に取着される部分であって、Ｔ字状の水平部に形成されており、水平方向に延びる表側当接部３５と裏側当接部３６との上下２段の当接部で形成されている。表側当接部３５は摺接防止体３１がボックスカバー２１に取着されたときにボックスカバー２１の取着フランジ２４の外面側に位置し、裏側当接部３６は取着フランジ２４の内面側に位置するとともに、表側当接部３５及び裏側当接部３６はそれぞれ中央に間隙３７をおいて左右に一対設けられている。これら左右一対の当接部間の中央の間隙３７は取付ビス５１の軸部５１ａが上下に貫通する空間となっている。表側当接部３５と裏側当接部３６との上下間に形成されている溝部３８は、ボックスカバー２１の器具取付部の取着フランジ２４が圧入される空間となっており、表側当接部３５と裏側当接部３６とで取着フランジ２４が挟持されるようになっている。なお、両当接部は、取着フランジ２４に対する挟持力を更に高めるため、当接面に弾性的に挟圧される半球状等の小突起を一体に設けてもよい。
【００２３】
更に、取着部３２の表側当接部３５は、ボックスカバー２１の取着フランジ２４における取付ビス５１の螺退方向側の面すなわち図３(a)及び(b)における取着フランジ２４の上側の表面と当接する当接面３５ａを有している。また、裏側当接部３６は、取着フランジ２４における取付ビス５１の螺進方向側の面すなわち図３における取着フランジ２４の下側の裏面と当接する当接面３６ａを有している。
【００２４】
このうち、表側当接部３５は、図６(a)に示すように、ボックスカバー２１の開口部２２の端縁２２ａを延長する二点鎖線で示す仮想線２６すなわち取着フランジ２４の基端部を横切ってそのまま端縁２２ａの円弧に沿って描かれる線より外側に突出しないように形成されている。表側当接部３５の一部が、図６(b)の斜線部分で示すように、仮想線２６より外側にはみ出していると、ボックスカバー２１の開口部２２が嵌入する壁穴を表側当接部３５のはみ出し分だけ大きくしなければならず、これにより後述する不具合を生じる恐れがあるからである。
【００２５】
このように形成された取着部３２は、ボックスカバー２１のビス孔２５が表側当接部３５及び裏側当接部３６における間隙３７を通して表側に臨むので、ボックスカバー２１の表側から取付ビス５１を間隙３７内に挿入してビス孔２５に挿入し、螺着することができる。ここで、取付ビス５１としては、ビス孔２５に螺刻しながら強制的に螺入されるタッピングビスや、ナットを使用して取着するものなどを用いることができる。
【００２６】
更に、取着部３２は、図３(a)の矢印で示すように、ボックスカバー２１の器具取付部に対して取付ビス５１の螺進軸と直交する方向から取り付けられるようになっており、図３(a)において水平方向から取着部３２の溝部３８内に取着フランジ２４を嵌入させて表側当接部３５と裏側当接部３６とで挟持することによりボックスカバー２１に取り付けられる。
【００２７】
次に、摺接防止体３１の摺接防止部３３は、取着部３２の下方で、ボックスカバー２１の螺入部に螺入される取付ビス５１の螺進方向に配置されている。摺接防止部３３は、この内部に螺進した取付ビス５１の軸部５１ａを取り囲む円筒形状に形成されており、これにより、取付ビス５１の螺進方向先である螺進予定空間２０内にケーブル６１が侵入して取付ビス５１の軸部５１ａと摺接し擦られて傷付くのが防止される。摺接防止部３３の長さは、この先端部と配線ボックス１１の底壁１２との間にケーブル６１を配線可能な隙間すなわち配線空間１９が設けられるように設定されている。これにより、摺接防止部が配線ボックス１１内へのケーブル６１の配線の邪魔になるのが避けられる。但し、摺接防止部３３は、この長さに限られるものではなく、配線ボックス１１の底壁１３にまで達する長さなどに設定してもよい。なお、円筒形状の摺接防止部３３の側面には、樹脂成形上の点から肉盗み空間が形成されている。
【００２８】
次に、上記のように構成された配線器具取付体への配線器具の取り付けについて説明する。
予め、配線ボックス１１の開口側にボックスカバー２１を当接し、ボックスカバー２１の長孔２３に固定ビス５２を挿通して取付フランジ１７のビス孔１８に螺着することにより、配線ボックス１１とボックスカバー２１とを一体に組み付けておく。そこで、図示しないが、建物の間仕切り柱に固定された取付金具に配線ボックス１１を固定し、間仕切り壁７１を立設して、配線ボックス１１及びボックスカバー２１を壁裏に配設する。
【００２９】
次に、壁裏に配線されたケーブル６１を配線ボックス１１のノックアウト１５を打ち抜いた透孔から配線ボックス１１内に引き込み、間仕切り壁７１の壁穴７２を通して、壁表側で配線器具取付枠６２に組み付けられたスイッチ６３の端子に結線する。そして、ボックスカバー２１の器具取付部に摺接防止体３１を取り付ける。このとき、摺接防止体３１の取着部３２は、ボックスカバー２１の取着フランジ２４の表側面及び裏側面とそれぞれ当接する表側当接部３５及び裏側当接部３６を有するので、器具取付部に向けて押し込み、取着フランジ２４を規制部３３の溝部３８に嵌め込んで、摺接防止体３１を簡単にボックスカバー２１に取り付けることができる。次いで、図７に示すように、壁表側から配線器具取付枠６２の上下端部に設けられた一対の挿通孔に取付ビス５１を挿通させ、ボックスカバー２１の上下一対の取着フランジ２４，２４のビス孔２５，２５に螺入する。これにより、配線器具取付体への配線器具の取り付けが完了する。
【００３０】
配線器具が取り付けられた状態においては、摺接防止体３１の摺接防止部３３の下端と配線ボックス１１の底壁１２との間に、ケーブル６１の配線空間１９が形成されている。
【００３１】
次に、配線器具取付体装置１の作用を説明する。
摺接防止体３１は、ボックスカバー２１の器具取付部である取着フランジ２４を越えて配線ボックス１１内に侵入した取付ビス５１の軸部５１ａと配線ボックス１１内に配線されるケーブル６１との摺接を防止する摺接防止部３３を備えているので、配線ボックス１１内で取付ビス５１の軸部５１ａとケーブル６１とが接触することによりケーブル６１が擦れて傷付くのが確実に防止される。
【００３２】
また、摺接防止体３１の取着部３２は、ボックスカバー２１の取着フランジ２４のビス螺進方向の面とビス螺退方向の面とに当接して取着される溝部３８からなるので、摺接防止体３１を取着フランジ２４に向けて押し込むだけで簡単にボックスカバー２１に取着できる。
そして、摺接防止体３１の摺接防止部３３は、ビス螺進方向に延びる略筒状に形成されているので、取付ビス５１の軸部５１ａの全体を取り囲んでケーブル６１との接触を防止することができる。
【００３３】
更には、摺接防止体３１の取着部３２の表側当接部３５は、ボックスカバー２１の開口部２２の端縁２２ａを延長する仮想線２６より外側に突出しない。このため、仮に、摺接防止体３１の取着部３２の当接部の一部が図６(b)に示すような仮想線２６より外側に突出してはみだすものであるときは、壁穴７２も摺接防止体３１の表側当接部３５と干渉するのを避けるために大きくする必要があり、また、それにより、配線器具であるスイッチ６３を覆う化粧カバーも大きくしなければならないし、壁穴７２が化粧カバーより大き過ぎた場合には壁穴７２内に隙間を生じて見栄えが低下してしまうことになるが、本実施形態の摺接防止体３１はそのような不具合を生じない。
【００３４】
ところで、上記実施形態の摺接防止体３１は、器具取付部である取着フランジ２４に取着されているが、これ以外の箇所に取着されるものとしてもよい。例えば、ボックスカバー２１の開口部２２の隅部に取着するものとしてもよく、この場合は、摺接防止体３１の取着部３２は取付ビス５１の螺入部から離間した箇所に位置することになるので、摺接防止体３１の摺接防止部３３は取着部３２の直下でなく取付ビス５１の周辺にまで延びて形成される。
【００３５】
また、上記実施形態の摺接防止体３１は、ボックスカバー２１の取着フランジ２４に別体として取着されているが、図８(a)に示すように、ボックスカバー２１の開口部２２の端縁２２ａの一部を配線ボックス１１の内部側に折り曲げて延ばすとともに円弧板状に形成して取付ビス５１を取り囲む摺接防止部３３となすことによって、ボックスカバー２１に一体に設けた形態のものとしてもよい。
【００３６】
更には、上記実施形態では、ボックスカバー２１に摺接防止体３１を取着し、あるいは図８(a)に示すように、摺接防止部３３を設けているが、図８(b)、(c)に示すように、配線ボックス１１内に摺接防止部３３を設けてもよい。図８(b)に示す摺接防止部３３は、例えば円筒状に形成され、配線ボックス１１の底壁１２に溶接や樹脂成形、係合などの手段により立設されている。図８(c)に示す摺接防止部３３は、例えば半円筒状に形成され、配線ボックス１１の周壁１３から溶接や樹脂成形、係合などの手段により開口面と平行する方向に突出して設けられている。このように、摺接防止部３３をボックスカバー２１や配線ボックス１１に一体に設けた場合には、摺接防止体３１を別途に用意する必要がないため、部品コストを削減でき、部品管理が不要となり、摺接防止体３１を配線器具取付体に取着する手間を省くこともできる。
【００３７】
加えて、上記実施形態では、配線器具取付体は、配線ボックス１１にボックスカバー２１が固定されたものを例示しているが、本発明は、配線器具取付体が配線ボックス１１単体からなる場合にも同様に適用される。この場合、配線ボックス１１の開口１６の周縁１６ａの取付フランジに配線器具取付枠６２を取り付けるためのビス孔が設けられ、摺接防止体３１は、このビス孔が設けられた取付フランジなどに取着される。あるいは、摺接防止部３３は、前述の図８(b)、(c)に示すように、配線ボックス１１の底壁１２や周壁１３に一体に設けられる。
【００３８】
次に、上記実施形態では、摺接防止体３１は、配線器具が取り付けられるボックスカバー２１の取着フランジ２４のビス孔２５に螺入される取付ビス５１と配線ボックス１１内のケーブル６１とが接触しケーブル６１が傷付くのを防止するものを示したが、本発明の摺接防止体３１及び摺接防止部３３は、図１及び図２(a)等に示した、ボックスカバー２１を配線ボックス１１に固定するための固定ビス５２と配線ボックス１１内のケーブル６１との接触を防止するために使用することもできる。
【００３９】
この場合、ボックスカバー２１の開口部２２の端縁が後述する図９に示すような形状のものであるときには、取付ビス５１に対して摺接防止体３１を取着する場合と同様に、摺接防止体３１の溝部３８内に開口部２２の取着フランジ２８を嵌め込むようにして摺接防止体３１をボックスカバー２１に取着することができる。また、固定ビス５２の場合の摺接防止部３３は図８の各態様に示したような一体の形態のものとすることもできる。なお、固定ビス５２としては、タッピングビスやナットを使用して取着するビスなどを用いることができ、取付ビス５１と同一サイズあるいは異なるサイズのビスが用いられ、また、取付ビス５１と同一種類あるいは異なる種類のビスが用いられる。
【００４０】
ところで、上記実施形態の摺接防止部３３は、側面全体が壁面で完全に覆われたものでなくてもよく、前述のように、側面に肉盗み空間等の小孔や切欠が形成されていてもよい。あるいは、摺接防止部３３は、メッシュ構造などのものであってもよく、要するに、摺接防止部３３の内部空間にケーブル６１が侵入しなければいかなる形状のものであってもよい。更に、摺接防止部３３は、円筒状や半円筒状に形成されているが、角筒状等に形成してもよく、更には、取付ビス５１の軸部５１ａや固定ビス５２の軸部とケーブル６１との摺接を防止できれば、これらの軸部を筒状に囲うものでなく、例えば、円弧板状としてこれを取付ビス５１や固定ビス５２の両側に間隔をあけて一対を対向させて配置するものに形成してもよい。
【００４１】
また、摺接防止体３１や摺接防止部３３は、ケーブル６１が摺接防止部３３の下端の角部と接触し、摺接するのを防止するために設けた摺接防止体３１自体や摺接防止部３３自体でケーブル６１を傷付けてしまうのを防止するために、摺接防止部３３の下端角部をＲ状に曲げたり、下端に半球状の底壁を付加してもよく、あるいは、摺接防止部３３の周壁にゴム板や軟質樹脂板などの軟質材を被覆してもよい。
【００４２】
加えて、上記実施形態では、ボックスカバー２１は開口部２２に配線器具取付枠６２が１個取り付けられたものを示しているが、図９に示すように、開口部２２に複数個の配線器具取付枠６２が２ヶ口用などとして左右に並列して取り付けられたものにも当然適用できる。なお、このようなボックスカバー２１においては、開口部２２の端縁２２ａの取着フランジ２８に、固定ビス５２を介してボックスカバー２１を配線ボックス１１に取り付け固定するための固定孔２７と配線器具を取着するためのビス孔２５とが近接して設けられることがあり、その場合の摺接防止体３１や摺接防止部３３は、取付ビス５１の軸部５１ａ及び固定ビス５２の軸部に対してそれぞれ設けてもよいし、両ビスの軸部を一体に取り囲む形状に形成してもよい。
【００４３】
更に、上記実施形態の摺接防止体３１は、表側当接部３５と裏側当接部３６との間の溝部３８にボックスカバー２１の取着フランジ２４を嵌め込んで挟持し取着するものとしているが、ボックスカバー２１に係合など別の手段によって取着してもよい。
【００４４】
加えて、摺接防止体３１は、合成樹脂により全体が剛性を有するものであってもよく、逆に可撓性、柔軟性を有するものであってもよい。また、他の材質で形成してもよい。
【００４５】
なお、前述した、配線器具取付体への配線器具の取り付けにおいて、摺接防止体３１は、間仕切り壁７１に壁穴７２を設けてからボックスカバー２１の取着フランジ２４に取り付けているが、先に摺接防止体３１をボックスカバー２１に取り付けた状態でこれらを壁裏に設置してから壁穴７２を設けてもよい。この場合は、ボックスカバー２１への摺接防止体３１の付け忘れを防止できる。なお、摺接防止体３１はボックスカバー２１とは別体であるから、ケーブル６１の引き込み、結線時に、摺接防止体３１が作業の邪魔になるのであれば、一旦摺接防止体３１を取り外し、ケーブル６１の引き込み、結線後に再度取着することもできる。
【００４６】
また、上記実施形態において、摺接防止体３１は、ボックスカバー２１等の一対の器具取付部の両方に取り付けているが、いずれかの器具取付部の周辺においてはケーブル６１が配線される予定がないような場合などでは、一対の器具取付部のうちの一方のみ、あるいは器具取付部が複数対ある場合はそのうちのいずれかまたは一箇所に、摺接防止体３１を取着してもよく、必ずしも全ての器具取付部に取着する必要はない。
【００４７】
更に、上記実施形態では、摺接防止体３１や摺接防止部３３は、間仕切り壁７１やコンクリート壁の裏側に配設された配線ボックス１１やボックスカバー２１に取着されあるいは設けられるものを示しているが、本発明は、内部に配線材が引き込まれたダクトにコンセント取付具、スイッチ取付具などが取り付けられる場合にも同様に適用することができる。
【符号の説明】
【００４８】
１  配線器具取付体装置                ２８  取着フランジ（器具取付部）
１１  配線ボックス（配線器具取付体）    ３１  摺接防止体
１２  底壁                              ３２  取着部
１３  周壁                              ３３  摺接防止部
１６  開口                              ３５  表側当接部
２１  ボックスカバー（配線器具取付体）  ３８  溝部
２２  開口部                            ５１  取付ビス
２２ａ  端縁                            ５１ａ  軸部
２３  長孔                              ５２  固定ビス
２４  取着フランジ（器具取付部）        ６１  ケーブル（配線材）
２５  ビス孔（螺入部）                  ６２  配線器具取付枠（配線器具）
２６  仮想線                            ６３  スイッチ（配線器具）
【図１】
2019037137.tif 000003
【図２】
2019037137.tif 000004
【図３】
2019037137.tif 000005
【図４】
2019037137.tif 000006
【図５】
2019037137.tif 000007
【図６】
2019037137.tif 000008
【図７】
2019037137.tif 000009
【図８】
2019037137.tif 000010
【図９】
2019037137.tif 000011